(57)【要約】【課題】玉崩し用バイブレータによる振動を遊技者に感知され難くすることが可能な遊技機を提供することを目的とする。【解決手段】機構板２０にタンクレール２４ｂを係着させるための第１被係着部材２０ｂ１、第２被係着部材２０ｂ２、第３被係着部材２０ｂ３、第４被係着部材２０ｂ４を配設する。これら第１被係着部材２０ｂ１〜第４被係着部材２０ｂ４を有する領域Ｔ１を包囲するように複数のスリット部２０ｄを形成して、複数のスリット部２０ｄの間に複数の連結部２０ｅを設ける。領域Ｔ１に対して振動が伝達されると、領域Ｔ１が振幅運動する。これにより、振動が領域Ｔ２に伝達される前に領域Ｔ１にて減衰される。【選択図】　図５
2004121519.tif 000002
【特許請求の範囲】
【請求項１】
外部から或いは内部を循環して供給されるパチンコ球を貯留すると共に、同貯留されたパチンコ球を払出機構に導く貯留部と、該貯留部に振動を発生させる振動発生器とを有する遊技機において、
前記貯留部を係着する係着部材と該貯留部との間に制振機能を有する制振手段を配設したことを特徴とする遊技機。
【発明の詳細な説明】
【０００１】
【発明の属する技術分野】
本発明は、遊技球の貯留部における玉詰まりを解消するための振動発生器を有する遊技機に関する。
【０００２】
【従来の技術】
従来、パチンコ遊技機等の遊技機においては、一時貯留されていた遊技球を流下させる貯留部が機構板の所定位置に設けられている。この貯留部は、その配設位置の構造上、遊技球が流下する際に玉詰まりを起こすことがある。この時、貯留部には、遊技球の玉詰まりを崩すためのバイブレータが具備されている。（例えば、特許文献参照。）。
【０００３】
【特許文献】
特開平８−２８０９０２号公報（第４頁、第１図）
【０００４】
【発明が解決しようとする課題】
しかしながら、上述した従来の遊技機においては、玉崩し用バイブレータより発生される振動が貯留部を振動させるだけに留まらず、機構板や本体枠にも振動が波及する可能性がある。ここで、遊技機の中には、図柄が大当たりし易い状況を遊技者に知らせる等の手段として、遊技状況に連動して駆動されるバイブレータがハンドル内に配設されているものも見受けられる。つまり、玉崩し用バイブレータと遊技演出用のバイブレータが併設されている状況で、玉崩し用バイブレータが作動して振動が発生して、その振動がハンドルに伝達されてしまうような場合には、この振動を感知した遊技者に対してハンドルが振動しているものと勘違いさせてしまう可能性がある。
【０００５】
また、この玉崩し用バイブレータの振動は、比較的強い振動であるので、遊技盤上を流下する遊技球の挙動に影響を与える可能性がある。
【０００６】
そこで、本発明は、上記の課題に鑑みてなされたものであって、玉崩し用バイブレータによる振動を遊技者に感知され難くすることができ、さらに、遊技球の挙動への影響を低減することが可能な遊技機を提供することを目的とする。
【０００７】
【課題を解決するための手段】
上記目的を達成するため、請求項１にかかる発明は、外部から或いは内部を循環して供給されるパチンコ球を貯留すると共に、同貯留されたパチンコ球を払出機構に導く貯留部と、該貯留部に振動を発生させる振動発生器とを有する遊技機において、前記貯留部を係着する係着部材と該貯留部との間に制振機能を有する制振手段を配設した構成としてある。
上記のように構成した請求項１にかかる発明においては、振動発生器を具備した貯留部と、貯留部を係着する係着部材との間に振動を低減させるための制振手段を設ける。すなわち、振動発生器が駆動されて貯留部に振動が伝達されると、機構板側にも振動が伝達される。しかし、貯留部と係着部材との間には、制振手段が設けられているので、振動が機構板へ伝達される前に制振手段によって減衰される。
これにより、貯留部に設けられている振動発生器の振動を遊技者に感知され難くすることができ、遊技球の挙動に対する影響を低減することができる。
なお、本発明は、上記構成に限られるものではなく、以下の手段を含むものである。
【０００８】
手段１
前記制振手段が、機構板に設けられていることを特徴とする請求項１に記載の遊技機。
上記のように構成した手段１にかかる発明においては、制振手段を機構板に設ける。すなわち、機構板の貯留部が固定されている箇所を包囲するように制振手段を設ける。ここで、振動発生器が駆動されて貯留部に振動が伝達されると、係着部材を介して機構板側にも振動が伝達される。しかし、機構板の貯留部が固定されている箇所の外周には、制振手段が設けられているので、機構板の制振手段が設けられている範囲の外には振動が伝達し難くなっている。
これにより、貯留部に設けられている振動発生器の振動を遊技者に感知され難くすることができ、遊技球の挙動に対する影響を低減することができる。
【０００９】
手段２
前記機構板には、前記貯留部の固定箇所を包囲するように複数の切り込みが設けられていることを特徴とする手段１に記載の遊技機。
上記のように構成した手段２にかかる発明においては、機構板に設けられた貯留部の固定箇所を略囲繞するように複数の切り込みを設ける。すなわち、機構板において貯留部が固定されている固定箇所を含む領域と、固定箇所を含まない領域とに区切って、その境界部分に沿って複数の切り込みを形成する。すると、固定箇所を含む領域は、切り込みが施されていない箇所を介して固定箇所を含まない領域に連結された状態となる。ここで、振動発生器が駆動されて貯留部に振動が伝達されると、機構板の有する貯留部を固定している固定箇所を含む領域にも振動が伝わる。すると、貯留部の固定箇所を含む領域から固定箇所を含まない領域へは振動エネルギーが伝達されにくいので、その振動エネルギーの大部分は、固定箇所を含む領域だけを振動させた後収束する。
これにより、貯留部に設けられている振動発生器の振動を遊技者に感知され難くすることができ、遊技球の挙動に対する影響を低減することができる。また、機構板に切り込みを形成することで容易に振動を減衰させることができる。
【００１０】
手段３
前記機構板において、前記貯留部を固定する固定箇所を含む領域が、同固定領域を含まない領域とは別体に設けられ、かつ、同固定箇所を含む領域と、同固定箇所を含まない領域とが、弾性を有する部材によって連結されていることを特徴とする手段１に記載の遊技機。
上記のように構成した手段３にかかる発明においては、貯留部を固定する固定箇所を含む領域が、固定箇所を含む領域とは別体に設けられ、かつ、固定箇所を含む領域と固定箇所を含まない領域とを弾性を有する部材によって連結する。この弾性を有する部材とは、例えば、コイルバネや板バネ、あるいはゴム材等の弾性体である。ここで、振動発生器が駆動されて貯留部に振動が伝達されると、貯留部を固定する固定箇所を含む領域にも振動が伝わる。すると、貯留部の固定箇所を含む領域が前後に振幅運動することにより、固定箇所を含まない領域へは振動エネルギーが伝達され難くなっている。従って、振動エネルギーは、固定箇所を含む領域だけを振動させた後収束する。
これにより、貯留部に設けられている振動発生器の振動を遊技者に感知され難くすることができ、遊技球の挙動に対する影響を低減することができる。さらに、弾性を有する部材の材質を変えることで振動の減衰率を自在に調整することができる。
【００１１】
手段４
前記制振手段が、前記貯留部と前記機構板との間に設けられていることを特徴とする請求項１に記載の遊技機。
上記のように構成した手段４にかかる発明においては、制振手段が、貯留部と機構板との間に設けられている。ここで、振動発生器が駆動されて貯留部に振動が伝達されると、貯留部を機構板に連結している係着部材にも振動が伝達される。しかし、制振手段が貯留部と機構板との間に設けられているので、振動が機構板へ伝達される前に制振手段によって減衰される。
これにより、貯留部に設けられている振動発生器の振動を遊技者に感知され難くすることができ、遊技球の挙動に対する影響を低減することができる。
【００１２】
手段５
前記制振手段が、前記貯留部と前記機構板との間を連結する係着部材に設けられていることを特徴とする手段４に記載の遊技機。
上記のように構成した手段５にかかる発明においては、貯留部と機構板との間を連結するための係着部材に制振手段を設ける。ここで、振動発生器が駆動されて貯留部に振動が伝達されると、貯留部を機構板に連結している係着部材にも振動が伝達される。しかし、制振手段が係着部材に設けられているので、振動が機構板へ伝達される前に制振手段によって減衰される。
これにより、貯留部に設けられている振動発生器の振動を遊技者に感知され難くすることができ、遊技球の挙動に対する影響を低減することができる。
【００１３】
手段６
前記係着部材が、前記機構板に対して軸方向に往復運動自在に遊着され、かつ、同係着部材の周囲には、同機構板の内側と同係着部材の先端との間に第１弾性部材が配設され、同機構板の外側と前記貯留部との間に第２弾性部材が配設されていることを特徴とする手段５に記載の遊技機。
上記のように構成した手段６にかかる発明においては、係着部材を機構板とは軸方向に往復運動自在に遊着する。また、係着部材の周囲に機構板の内側と係着部材の先端との間に第１弾性部材を配設し、同機構板の外側と前記貯留部との間に第２弾性部材をそれぞれ配設することにより制振手段を形成する。ここで、振動発生器が駆動されて貯留部に振動が伝達されると、係着部材にも振動が伝達される。すると、係着部材は、機構板に対して遊着されているとともに、第１弾性部材と第２弾性部材とが設けられているので、貯留部の振動に合わせて前後に振幅運動する。
これにより、貯留部に設けられている振動発生器の振動を遊技者に感知され難くすることができ、遊技球の挙動に対する影響を低減することができる。
【００１４】
手段７
前記係着部材が、所定の強度と弾性とを有する部材にて形成され、かつ、同係着部材の外周に互いに摺動可能な積層体が設けられていることを特徴とする手段５に記載の遊技機。
上記のように構成した手段７にかかる発明においては、係着部材を所定の強度と弾性とを有する部材にて形成し、さらに、この係着部材の外周に互いに摺動する積層体を配設することにより制振手段を形成する。係着部材は、具体的には、可撓性を有する合成樹脂材等にて形成されており、貯留部等を保持可能な強度を有している。また、積層体は、所定の弾性を有する略薄板状のゴム材等により形成されており、中心に所定の開口部が設けられている。この開口部は、係着部材を挿通するために設けられており、複数枚積層した状態で係着部材に挿通されている。ここで、振動発生器が駆動されて貯留部に振動が伝達されると、係着部材にも振動が伝達される。すると、係着部材は、この振動にあわせて振幅運動し、積層体は、係着部材の振幅運動にあわせて上下左右に自由に摺動した後、係着部材により元の位置に戻ろうとする復元力が発生し、振動が停止された後、係着部材とともに積層体が元の位置に戻る。
これにより、貯留部に設けられている振動発生器の振動を遊技者に感知され難くすることができ、遊技球の挙動に対する影響を低減することができる。
【００１５】
手段８
前記係着部材の少なくとも一部に引っ張りコイルバネが設けられていることを特徴とする手段５に記載の遊技機。
上記のように構成した手段８にかかる発明においては、係着部材に一定の外力を受けると撓むとともに初期位置に復元する引っ張りコイルバネを設ける。具体的には、係着部材の機構板と貯留部との間の一部の層が全て引っ張りコイルバネにて形成されている。ここで、振動発生器が駆動されて貯留部に振動が伝達されると、係着部材にも振動が伝達される。すると、係着部材に設けられている引っ張りコイルバネが、上下左右に自由に撓曲した後、係着部材を初期位置に戻そうとする復元力が発生し、振動が停止された後、係着部材を元の位置に戻すように作用する。
これにより、貯留部に設けられている振動発生器の振動を遊技者に感知され難くすることができ、遊技球の挙動に対する影響を低減することができる。
【００１６】
手段９
前記制振手段が、前記貯留部と前記機構板との接面に配設されていることを特徴とする手段４に記載の遊技機。
上記のように構成した手段９にかかる発明においては、貯留部と機構板との接面に制振手段を設ける。具体的には、貯留部と機構板とが接する面の全てに略板状を呈する弾性部材等を配設する。ここで、振動発生器が駆動されて貯留部に振動が伝達されると、貯留部と機構板との間に設けられた制振手段にも振動が伝達される。すると、貯留部と機構板との間に制振手段が設けられているので、振動が機構板へ伝達される前に制振手段によって減衰される。
これにより、貯留部に設けられている振動発生器の振動を遊技者に感知され難くすることができ、遊技球の挙動に対する影響を低減することができる。
【００１７】
手段１０
前記貯留部と前記機構板との接面に配設されている制振手段が、高弾性部材にて形成されていることを特徴とする手段７に記載の遊技機。
上記のように構成した手段１０にかかる発明においては、貯留部と機構板との接面に配設されている制振手段を高弾性を有する部材にて形成する。ここで、振動発生器が駆動されて貯留部に振動が伝達される。すると、貯留部と機構板との間に制振手段が設けられているので、振動が機構板へ伝達される前に制振手段によって減衰される。
これにより、貯留部に設けられている振動発生器の振動を遊技者に感知され難くすることができ、遊技球の挙動に対する影響を低減することができる。
【００１８】
手段１１
前記貯留部が、前記制振手段のみを介して前記機構板に固定されていることを特徴とする手段９又は手段１０のいずれかに記載の遊技機。
上記のように構成した手段１１にかかる発明においては、貯留部を制振手段を介して機構板に固定する。すなわち、この制振手段は、貯留部及び機構板を連結するための係着部材の代わりに、高弾性の発泡樹脂材と発泡樹脂材の両端に一対設けられた板状の係着部材とから形成されている。この発泡樹脂材と一対の係着部材とは、所定の接着剤等にて連結されており、さらに、この一対の係着部材の外側には、貯留部及び機構板に係着するための凸状部がそれぞれに形成されている。また、これにあわせて貯留部と機構板には、凸状部に対応した凹状部が形成されている。つまり、この制振手段を貯留部と機構板に対してスライドさせる等して嵌着させることで互いを連結可能に設けられている。ここで、振動発生器が駆動されて貯留部に振動が伝達される。すると、貯留部と機構板との間に制振手段が設けられているので、振動が機構板へ伝達される前に制振手段によって減衰される。
これにより、貯留部に設けられている振動発生器の振動を遊技者に感知され難くすることができ、遊技球の挙動に対する影響を低減することができる。
【００１９】
手段１２
外部から或いは内部を循環して供給されるパチンコ球を貯留すると共に、同貯留されたパチンコ球を払出機構に導く貯留タンクと、該貯留タンクに振動を発生させる振動発生器とを有する遊技機において、
前記貯留タンクを係着する係着部材と該貯留タンクとの間に制振機能を有する制振手段を配設したことを特徴とする請求項１もしくは手段１〜手段１１のいずれかに記載の遊技機。
上記のように構成した手段１２にかかる発明においては、振動発生器を具備する貯留タンクと貯留タンクを係着する係着部材との間に振動を低減させるための制振手段を設ける。ここで、振動発生器が駆動されて貯留タンクに振動が伝達されると、係着部材にも振動が伝達される。すると、貯留タンクを係着する係着部材には、制振手段が設けられているので、振動が機構板へ伝達される前に制振手段によって減衰される。
これにより、貯留タンクに設けられている振動発生器の振動を遊技者に感知され難くすることができ、遊技球の挙動に対する影響を低減することができる。
【００２０】
手段１３
外部から或いは内部を循環して供給されるパチンコ球を貯留すると共に、同貯留されたパチンコ球を払出機構に導くタンクレールと、該タンクレールに振動を発生させる振動発生器とを有する遊技機において、
前記タンクレールを係着する係着部材と該タンクレールとの間に制振機能を有する制振手段を配設したことを特徴とする請求項１もしくは手段１〜手段１２のいずれかに記載の遊技機。
上記のように構成した手段１３にかかる発明においては、振動発生器を具備するタンクレールと係着部材との間に振動を低減させるための制振手段を設ける。ここで、振動発生器が駆動されてタンクレールに振動が伝達されると、係着部材にも振動が伝達される。すると、タンクレールを係着する係着部材には、制振手段が設けられているので、振動が機構板へ伝達される前に制振手段によって減衰される。
これにより、タンクレールに設けられている振動発生器の振動を遊技者に感知され難くすることができ、遊技球の挙動に対する影響を低減することができる。
【００２１】
手段１４
前記遊技機は、パチロットであり、前記制振手段にかかる構成を同パチロットに適用する場合、同制振手段を同パチロットの有する貯留部に配設した構成とすることを特徴とする請求項１もしくは手段１〜手段１３のいずれかに記載の遊技機。
上記のように構成した手段１４にかかる発明においては、パチロットは、メダル等の代わりに一定数のパチンコ球を使用して絵合わせを行うパチンコ機とスロットマシンの両方の特徴を備えた遊技機である。このパチロットにおいても同様に、機構板に貯留タンクやタンクレールからなる貯留部が設けられている。すなわち、この貯留部も例外ではなく、遊技球が玉詰まりを起こす可能性がある。そこで、この貯留部にも振動発生器が設けられる場合が想定される。従って、このパチロットにおいても同様に、振動発生器より発生される振動が機構板に伝達される前に制振手段によって減衰される。
これにより、パチロットに設けられている振動発生器の振動を遊技者に感知され難くすることができ、遊技球の挙動に対する影響を低減することができる。
【００２２】
【発明の効果】
以上説明したように本発明は、貯留部に設けられている振動発生器の振動を遊技者に感知され難くすることが可能な遊技機を提供することができる。
また、手段１にかかる発明によれば、貯留部に設けられている振動発生器の振動を遊技者に感知され難くすることができ、遊技球の挙動に対する影響を低減することができる。
また、手段２にかかる発明によれば、貯留部に設けられている振動発生器の振動を遊技者に感知され難くすることができ、遊技球の挙動に対する影響を低減することができる。また、機構板に切り込みを形成することで容易に振動を減衰させることができる。
また、手段３にかかる発明によれば、貯留部に設けられている振動発生器の振動を遊技者に感知され難くすることができる。さらに、弾性を有する部材の材質を変えることで振動の減衰率を自在に調整することができる。
また、手段４にかかる発明によれば、貯留部に設けられている振動発生器の振動を遊技者に感知され難くすることができ、遊技球の挙動に対する影響を低減することができる。
また、手段５にかかる発明によれば、貯留部に設けられている振動発生器の振動を遊技者に感知され難くすることができ、遊技球の挙動に対する影響を低減することができる。
また、手段６にかかる発明によれば、貯留部に設けられている振動発生器の振動を遊技者に感知され難くすることができ、遊技球の挙動に対する影響を低減することができる。
また、手段７にかかる発明によれば、貯留部に設けられている振動発生器の振動を遊技者に感知され難くすることができ、遊技球の挙動に対する影響を低減することができる。
また、手段８にかかる発明によれば、貯留部に設けられている振動発生器の振動を遊技者に感知され難くすることができ、遊技球の挙動に対する影響を低減することができる。
また、手段９にかかる発明によれば、貯留部に設けられている振動発生器の振動を遊技者に感知され難くすることができ、遊技球の挙動に対する影響を低減することができる。
また、手段１０にかかる発明によれば、貯留部に設けられている振動発生器の振動を遊技者に感知され難くすることができ、遊技球の挙動に対する影響を低減することができる。
また、手段１１にかかる発明によれば、貯留部に設けられている振動発生器の振動を遊技者に感知され難くすることができ、遊技球の挙動に対する影響を低減することができる。
また、手段１２にかかる発明によれば、貯留タンクに設けられている振動発生器の振動を遊技者に感知され難くすることができ、遊技球の挙動に対する影響を低減することができる。
また、手段１３にかかる発明によれば、タンクレールに設けられている振動発生器の振動を遊技者に感知され難くすることができ、遊技球の挙動に対する影響を低減することができる。
また、手段１４にかかる発明によれば、パチロットに設けられている振動発生器の振動を遊技者に感知され難くすることができ、遊技球の挙動に対する影響を低減することができる。
【００２３】
【発明の実施の形態】
ここでは、下記の順序に従って本発明の実施形態を説明する。
（１）遊技機の概要：
（２）遊技機の説明：
（３）遊技機の変形例：
【００２４】
（１）遊技機の概要：
本発明に基づく遊技機をパチンコ遊技機Ａ１に応用した場合の実施の形態について図面を利用して説明する。
【００２５】
パチンコ遊技機Ａ１は、複数の機能部品により構成された各種装置を複数用いて互いに組み合わせ、さらに、これらを一体に形成することによりユニット体を構成している。さらに、これらユニット体を互いに組み合わせることによって、パチンコ遊技機Ａ１として機能するものである。すなわち、このユニット体とは、図１、図２に示すように、本体枠１０、遊技盤１２、機構板２０、前面ガラス扉枠３０、外枠４０等である。
【００２６】
また、各種装置とは、本体枠１０においては、上皿１４や、下皿１６、もしくはハンドル１８等が挙げられる。また、機構板２０においては、各種基板２２、賞球払出装置ユニット２４等が挙げられる。さらに、各種基板２２とは、主制御基板２２ａ、払出制御基板２２ｂ、電源基板２２ｃ、発射制御基板２２ｄ等である。
【００２７】
なお、以下の説明において、前面又は前面側とは、図１に示すように、遊技領域１２ａが設けられている面、すなわち、遊技者が対面する面を示すものとし、背面又は背面側とは、図２に示すように、機構板２０が設けられている面を示すものとする。また、下方とは、特に説明する場合以外は、後述する底面部材４０ａの配設されている方向を示すものとし、上方とは、下方の反対、すなわち、後述する上面部材４０ｄの配設されている方向を示すものとする。
【００２８】
（２）遊技機の説明：
図１は、パチンコ遊技機Ａ１の前面側の構成を示す全体斜視図である。
同図において、パチンコ遊技機Ａ１は、本体枠１０と、前面ガラス扉枠３０と、外枠４０とをそれぞれ所定位置に設けて互いに組み合わせることにより形成されている。
【００２９】
本体枠１０は、図１、図２に示すように、合成樹脂製の部材により略枠状に形成されている。また、この本体枠１０の長手方向の一方の側面には、また、この本体枠１０には、所定の金属部材により形成された本体枠係着部材１１が設けられている。この本体枠係着部材１１は、本体枠１０を外枠４０に対して開閉自在に配設するために設けられている。
【００３０】
また、この遊技盤１２の前面側には、図１に示すように、遊技球を流下させる遊技領域１２ａが形成されている。この遊技領域１２ａには、遊技を演出する各種役物が設けられている。
【００３１】
前面ガラス扉枠３０は、図１に示すように、本体枠１０の前面側の遊技盤１２を被覆可能な位置に配設されている。この前面ガラス扉枠３０の中辺部には、ガラス部３２が設けられている。また、このガラス部３２の外周には、装飾用ランプ３４が設けられている。この前面ガラス扉枠３０には、本体枠１０の有する本体枠係着部材１１の近傍に、所定の金属部材により形成された前面ガラス扉枠係着部材（図示省略）が設けられている。すなわち、この前面ガラス扉枠３０は、前面ガラス扉枠係着部材によって、本体枠１０に開閉自在に設けられている。
【００３２】
次に、図２は、パチンコ遊技機Ａ１の背面側の構成を示す全体斜視図である。同図において、本体枠１０の背面側、すなわち、遊技盤１２の遊技領域１２ａが設けられている面の反対側の面には、機構板２０が設けられている。この機構板２０は、合成樹脂製の部材により形成されている。また、この機構板２０は、本体枠１０の取付部１０ｂの側面に設けられた機構板係着部材２１により遊技盤１２に対して開閉自在に装着されている。
【００３３】
次に、外枠４０は、図２に示すように、略長方形状を呈する木質系の複数の板部材を互いに組み合わせることにより形成されている。すなわち、この外枠４０は、底面部材４０ａと、第１側面部材４０ｂと、第２側面部材４０ｃと、上面部材４０ｄとから形成されており、これらの端部同士を互いに連接することにより、パチンコ遊技機Ａ１の前面方向及び背面方向が開口した略枠状に形成されている。
【００３４】
また、第１側面部材４０ｂの上下端には、金属製の本体枠係着部材４２が設けられている。この係着部材４２は、本体枠１０を被連結部１１を介して外枠４０に対して開閉自在に連結するために設けられている。
【００３５】
また、機構板２０には、図２に示すように、複数の機能部品からなる各種装置が所定位置にそれぞれ配設されている。この各種装置とは、各種基板２２や、賞球払出装置ユニット２４や、遊技球発射装置２６等が挙げられる。
各種基板２２とは、機構板２０の中央に配設されているカバー部材２３の周囲に設けられている主制御基板２２ａや、払出制御基板２２ｂ、電源基板２２ｃ、発射制御基板２２ｄ等が挙げられる。
【００３６】
次に、パチンコ遊技機Ａ１の要部の構成について図面を用いてさらに詳細に説明することとする。
図３は、パチンコ遊技機Ａ１の背面側の要部の構成を示す拡大斜視図である。同図において、賞球払出装置ユニット２４は、貯留部（図示省略）としての貯留タンク２４ａとタンクレール２４ｂとを有し、払出部（図示省略）としてのケースレール２４ｃと払出ユニット２４ｄとを有している。
【００３７】
貯留タンク２４ａは、合成樹脂材等を用いて略箱状に形成されており、機構板２０の上端付近に所定の固定具Ｆ等を用いて固定されている。この貯留タンク２４ａは、島の内部を搬送されてきた遊技球を受入して一時貯留するために設けられている。また、この貯留タンク２４ａの底面には、貯留している遊技球を後述するタンクレール２４ｂへ流下させるための開口部（図示省略）が設けられている。
【００３８】
図４は、パチンコ遊技機Ａ１の要部の構成を示す斜視図である。
同図において、タンクレール２４ｂは、合成樹脂材等を用いて略箱状に形成されており、機構板２０の上端付近の貯留タンク２４ａの下方に所定の固定具Ｆ等を用いて固定されている。このタンクレール２４ｂは、貯留タンク２４ａから流下してきた遊技球をケースレール２４ｃへ受け渡すために設けられている。
【００３９】
また、タンクレール２４ｂの背面側、すなわち、機構板２０に固定される面には、第１係着部材２４ｂ１と、第２係着部材２４ｂ２と、第３係着部材２４ｂ３と、第４係着部材２４ｂ４とがそれぞれ所定位置に形成されている。
【００４０】
第１係着部材２４ｂ１と、第２係着部材２４ｂ２とは、断面視略Ｌ字状を呈しており、機構板２０に設けられた後述する被係着部材２０ｂ１等に引っ掛けることが可能な形状を呈している。また、第３係着部材２４ｂ３と、第４係着部材２４ｂ４とは、所定の固定具Ｆを挿通可能な開口形状を呈している。
【００４１】
ケースレール２４ｃと払出ユニット２４ｄとは、カバー部材２３の側方に配設されている。このケースレール２４ｃは、タンクレール２４ｂより流下されてきた遊技球を払出ユニット２４ｄへ受け渡すために設けられている。また、払出ユニット２４ｄは、ケースレール２４ｃを流下してきた遊技球を適宜賞球として払い出すために設けられている。
【００４２】
ここで、タンクレール２４ｂの前面側、すなわち、機構板２０に固定される面の反対側には、玉崩し用バイブレータ２５が配設されている。この玉崩し用バイブレータ２５は、略箱状のケースの内部にバイブレータが収納されており、このケースがタンクレール２４ｂの側面に固定されている。すなわち、この玉崩し用バイブレータ２５を作動させると、タンクレール２４ｂが振動する。つまり、この玉崩し用バイブレータ２５は、タンクレール２４ｂを通過する遊技球の玉詰まりを崩すために設けられている。そのため、この玉崩し用バイブレータ２５には、遊技球の玉詰まりを崩すことが可能な強力な振動を発生可能な大型の分銅が配設されている。
【００４３】
図５は、パチンコ遊技機Ａ１の背面側の要部の構成を示す拡大斜視図である。同図において、機構板２０には、賞球払出装置ユニット２４を固定するための被係着部材が所定位置に複数設けられている。すなわち、この機構板２０には、貯留タンク２４ａを固定するための被係着部材２０ａと、タンクレール２４ｂを固定するための被係着部材２０ｂと、ケースレール２４ｃを固定するための被係着部材（図示省略）と、払出ユニット２４ｄを固定するための被係着部材（図示省略）とがそれぞれ所定位置に設けられている。
【００４４】
ここで、機構板２０には、タンクレール２４ｂを固定するための第１被係着部材２０ｂ１と、第２被係着部材２０ｂ２と、第３被係着部材２０ｂ３と、第４被係着部材２０ｂ４とが形成されている。このうち、第１被係着部材２０ｂ１及び第２被係着部材２０ｂ２は、タンクレール２４ｂに設けられている第１係着部材２４ｂ１及び第２係着部材２４ｂ２をそれぞれ引っ掛けるようにして係着することが可能な開口形状を呈している。また、第３被係着部材２０ｂ３及び第４被係着部材２０ｂ４は、機構板２０より突出した略柱状形状を呈しており、所定の固定具Ｆを螺着可能な形状を呈している。
【００４５】
また、機構板２０には、制振部材５０が形成されている。すなわち、この制振部材５０は、被係着部材２０ｂを包囲するように所定の間隔をおいて複数のスリット部２０ｄが形成されることにより設けられた領域Ｔ１と、スリット部２０ｄを形成することによって領域Ｔ１の外周に設けられる領域Ｔ２とから形成されている。領域Ｔ１は、図５に示すように、スリット部２０ｄの間に形成されている連結部２０ｅによって、領域Ｔ２に連結されている。従って、この領域Ｔ１は、連結部２０ｅを介して機構板２０に係着された状態を呈している。
【００４６】
なお、本実施例において、スリット部２０ｄの配設箇所は、被係着部材２０ｂの周囲の計７箇所に形成されている場合を示しているが、これはスリット部２０ｄの配設例としての一例であるので、領域Ｔ１と領域Ｔ２との係着強度を維持するとともに領域Ｔ１の振動を妨げない程度の強度を有していれば、その配設数を適宜増減してもよい。
【００４７】
ここで、タンクレール２４ｂを機構板２０に取り付けるには、まず、第１係着部材２４ｂ１及び第２係着部材２４ｂ２を第１被係着部材２０ｂ１及び第２被係着部材２０ｂ２にそれぞれ引っ掛ける。次に、第３係着部材２４ｂ３及び第４係着部材２４ｂ４に所定の固定具Ｆを挿通し、さらに、第３被係着部材２０ｂ３及び第４被係着部材２０ｂ４に螺着させる。
【００４８】
ここで、本実施例における要部の作用について説明する。
図６は、パチンコ遊技機Ａ１の要部の構成の使用状態を示す図であって、Ｘ１矢視線（図４参照）より視認した矢視断面図である。
【００４９】
タンクレール２４ｂに設けられている玉崩し用バイブレータ２５を作動させると、タンクレール２４ｂが振動する。すると、それにあわせて領域Ｔ１も振動する。この際、領域Ｔ１と領域Ｔ２とは、連結箇所がスリット部２０ｄにより分断されているので、領域Ｔ１だけが振幅運動することで振動エネルギーが領域Ｔ１で減衰される。従って、この振動は、領域Ｔ２へは到達しない。つまり、機構板２０にスリット部２０ｄを形成することにより設けられた領域Ｔ１は、制振手段としての機能を有している。
【００５０】
なお、本実施例のパチンコ遊技機Ａ１においては、機構板２０に制振手段を設けた場合について説明したが、タンクレール２４ｂの振動を機構板２０側へ伝達させないようにすることができるのであれば、これに限られることなく異なる手段を用いて制振手段を設けてもよい。
【００５１】
そこで、以下、制振手段の配設方法の変形例について幾つか列挙することとする。なお、以下に記載の変形例においては、係着箇所の形状が引っ掛けるようになっている場合には適用できないことがあるが、その場合には、引っ掛ける代わりに螺着方式の固定具Ｆを用いて係着されているものとする。
【００５２】
また、本実施例においては、玉崩し用バイブレータ２５がタンクレール２４ｂに配設されている場合について説明したが、実際には、貯留タンク２４ａにおいても玉詰まりが起こる可能性があり、これにあわせて、貯留タンク２４ａに玉崩し用バイブレータ２５が配設される可能性も考えられる。
そこで、貯留タンク２４ａに玉崩し用バイブレータ２５が設けられている場合について図面を利用して説明する。
【００５３】
図７は、パチンコ遊技機Ａ１の応用例の要部の構成を示す分解斜視図である。同図において、機構板２０には、貯留タンク２４ａを係着するための複数の被係着部材２０ａを包囲するようにスリット部２０ｄが形成されている。
【００５４】
図８は、パチンコ遊技機Ａ１の応用例の要部の構成を示す図であって、応用例を図４に示すＸ１矢視線と同様の方向より視認した矢視断面図である。
同図において、貯留タンク２４ａは、タンクレール２４ｂの配設方法と同様に、第１係着部材２４ａ１と第２係着部材２４ａ２とを第１被係着部材２０ａ１と第２被係着部材２０ａ２とにそれぞれ引っ掛けるようにして係着させる。そして、第３係着部材２４ａ３と第４係着部材２４ａ４とを第３被係着部材２０ａ３と第４被係着部材２０ａ４とにそれぞれ所定の固定具Ｆ等を用いて係着させる。
【００５５】
つまり、貯留タンク２４ａに設けられている玉崩し用バイブレータ２５を作動させると、貯留タンク２４ａが振動する。すると、それにあわせて領域Ｔ１も振動する。この際、領域Ｔ１と領域Ｔ２とは、連結箇所がスリット部２０ｄにより分断されているので、領域Ｔ１だけが振幅運動することで振動エネルギーが領域Ｔ１で減衰される。従って、この振動は、領域Ｔ２へは到達しない。つまり、この領域Ｔ１は、制振部材５０として作用している。
【００５６】
（３）遊技機の変形例：
パチンコ遊技機Ａ１の第１の変形例としての制振部材１５０について図面を利用して説明する。
図９は、パチンコ遊技機Ａ１の第１の変形例の要部の構成を示す分解斜視図である。
同図において、領域Ｔ１は、機構板２０とは別部材として形成されている。すなわち、領域Ｔ１は、所定の弾性を有する複数の連結部材１５０を所定位置に配設することにより領域Ｔ２と連結されている。すなわち、この連結部材１５０は、図９に示すように、領域Ｔ１の所定位置に、第１連結部材１５０ａ、第２連結部材１５０ｂ、第３連結部材１５０ｃ、第４連結部材１５０ｄ、第５連結部材１５０ｅ、第６連結部材１５０ｆ、第７連結部材１５０ｇが所定位置に配設されている。この第１連結部材１５０ａは、例えば、コイルバネ等にて形成されており、両端を領域Ｔ１と領域Ｔ２とに所定の固定具Ｆ等にて螺着するなどして固定されている。
【００５７】
ここで、タンクレール２４ｂから振動が伝達されると、領域Ｔ１に振動が伝達されて、領域Ｔ１が前後に振幅運動する。これにより、領域Ｔ１に伝達された振動は、領域Ｔ２にはほとんど伝達されない。つまり、この領域Ｔ１自体が制振部材１５０として作用している。
【００５８】
なお、この制振部材１５０は、７箇所に設けられているが、タンクレール２４ｂを保持する機能とタンクレール２４ｂの振動を機構板２０へ伝達させないようにする機能とを有していれば、その配設箇所を変更させたり配設数を増減したり、コイルバネ以外の弾性部材等にて形成されていてもよい。
【００５９】
次に、パチンコ遊技機Ａ１の第２の変形例としての制振部材２５０について図面を利用して説明する。
図１０は、パチンコ遊技機Ａ１の第２の変形例の要部の構成を示す図であって、第２の変形例を図４に示すＸ１矢視線と同様の方向より視認した矢視断面図である。
同図において、第１係着部材２４ｂ１及び第２係着部材２４ｂ２と、第１被係着部材２０ｂ１及び第２被係着部材２０ｂ２との間には、制振部材２５０が隙間なく配設されている。
【００６０】
同様に、第３係着部材２４ｂ３及び第４係着部材２４ｂ４と、第３被係着部材２０ｂ３及び第４被係着部材２０ｂ４との間には、制振部材２５０が隙間なく配設されている。この制振部材２５０は、高弾性を有する発泡樹脂材等にて形成されている。
【００６１】
ここで、タンクレール２４ｂから振動が伝達されると、第１係着部材２４ｂ１等にも振動が到達する。すると、タンクレール２４ｂ及び第１係着部材２４ｂ１〜第４係着部材２４ｂ４の全ての係着部材の外側に高弾性の発泡樹脂材にて形成された制振部材２５０が振幅運動する。これにより、タンクレール２４ｂから伝達された振動は、機構板２０側へ伝達される前に制振部材２５０にて減衰される。
【００６２】
次に、パチンコ遊技機Ａ１の第３の変形例としての制振部材３５０について図面を利用して説明する。
図１１は、パチンコ遊技機Ａ１の第３の変形例の要部の構成を示す図であって、第３の変形例を図４に示すＸ１矢視線と同様の方向より視認した矢視断面図である。
同図において、タンクレール２４ｂには、前述の第１係着部材２４ｂ１〜第４係着部材２４ｂ４の配設されている位置に、複数の弾性体からなる制振部材３５０が配設されている。すなわち、この制振部材３５０は、略棒状を呈する第１弾性部材３５２と、第１弾性部材３５２の外周に中心が開口した略輪状を呈する弾性体を複数積層させた第２弾性部材３５６とから形成されている。
【００６３】
第１弾性部材３５２は、タンクレール２４ｂを機構板２０に係着する強度と、ある程度撓曲可能な弾性とを有する材質にて形成されている。
また、この第２弾性部材３５６は、ゴム材等にて形成されており、機構板２０と接する側から見て半径が段階的に小さくなるように設けられている。
また、第１弾性部材３５２の自由端側の端部には、機構板２０からの脱落を防止するための若干太径の脱落防止具３５４が設けられている。
【００６４】
タンクレール２４ｂには、第１弾性部材３５２を挿通可能な第１係着部材３２４ｂ１と、第２係着部材３２４ｂ２と、第３係着部材３２４ｂ３と、第４係着部材３２４ｂ４とが形成されている。また、機構板２０には、第１係着部材３２４ｂ１〜第４係着部材３２４ｂ４とに対応する位置に、固定具Ｆを螺着可能な第１被係着部材３２０ｂ１と、第２被係着部材３２０ｂ２と、第３被係着部材３２０ｂ３と、第４被係着部材３２０ｂ４とがそれぞれ所定位置に形成されている。
【００６５】
また、制振部材３５０は、全ての係着箇所において同様の方法で配設されている。そこで、制振部材３５０を第１係着部材３２４ｂ１に配設する場合を例にして説明すると、まず、第１弾性部材３５２を第１係着部材３２４ｂ１に挿通した後、第１弾性部材３５２に第２弾性部材３５６を挿通し、第１被係着部材３２０ｂ１にも挿通する。
【００６６】
ここで、第１弾性部材３５２の自由端に脱落防止具３５４を固定する。この際、第１弾性部材３５２と脱落防止具３５４とには、互いに対応する螺子切りが施されている。そこで、この脱落防止具３５４を第１被係着部材３２０ｂ１と接する位置まで螺入させる。すると、タンクレール２４ｂと第１弾性部材３５２と機構板２０とが密着するように固定された状態となる。
【００６７】
ここで、タンクレール２４ｂを介して制振部材３５０に振動が伝達されると、第１弾性部材３５２が撓曲可能な範囲で第２弾性部材３５６が摺動する。これにより、タンクレール２４ｂを介して制振部材３５０に伝達された振動は、機構板２０側へ伝達される前に制振部材３５０にて減衰される。
【００６８】
次に、パチンコ遊技機Ａ１の第４の変形例としての制振部材４５０について図面を利用して説明する。
図１２は、パチンコ遊技機Ａ１の第４の変形例の要部の構成を示す図であって、第４の変形例を図４に示すＸ１矢視線と同様の方向より視認した矢視断面図である。
同図において、前述の機構板２０の有する第１被係着部材２０ｂ１〜第４被係着部材２０ｂ４の全てには、制振部材４５０が配設されている。すなわち、本第４変形例においては、第１被係着部材２０ｂ１が２つに分割された形状を呈しており、機構板２０側に第１係着部材４５２が設けられ、第１係着部材２４ｂ１の側に第２係着部材４５４が設けられている。つまり、この第１係着部材４５２と第２係着部材４５４とが第１被係着部材２０ｂ１にあたる。
【００６９】
また、第１係着部材４５２には、突起部４５２ａが形成され、第２係着部材４５４には、突起部４５４ａが形成されている。この突起部４５２ａ、４５４ａは、互いに向き合うように設けられている。また、第１係着部材４５２と第２係着部材４５４との間には、突起部４５２ａ及び突起部４５４ａに嵌着されるようにして制振部材４５０が配設されている。この制振部材４５０は、所定の屈曲強度を有する引っ張りコイルバネ等にて形成されている。
【００７０】
ここで、タンクレール２４ｂを介して制振部材４５０に振動が伝達されると、上下左右に屈曲して振動を分散させた後、復元力により元の位置に戻る。つまり、この制振部材４５０は、タンクレール２４ｂから振動が伝達されると、上下左右に撓曲する性質を有している。これにより、タンクレール２４ｂを介して制振部材４５０に伝達された振動は、機構板２０側へ伝達される前に制振部材４５０にて減衰される。
【００７１】
次に、パチンコ遊技機Ａ１の第５の変形例としての制振部材５５０について図面を利用して説明する。
図１３は、パチンコ遊技機Ａ１の第５の変形例の要部の構成を示す図であって、第５の変形例を図４に示すＸ１矢視線と同様の方向より視認した矢視断面図である。
同図において、前述の機構板２０の有する第１被係着部材２０ｂ１〜第４被係着部材２０ｂ４の全てには、制振部材５５０が配設されている。すなわち、第１被係着部材２０ｂ１を例にして説明すると、第１係着部材２４ｂ１の自由端側の端部には、機構板２０からの脱落を防止するための若干太径の脱落防止具５５２が設けられている。
【００７２】
さらに、この第１係着部材２４ｂ１の外周には、２つのコイルバネからなる制振部材５５０が配設されている。すなわち、この制振部材５５０としては、機構板２０の内側には、脱落防止具５５２との間に第１弾性部材５５４が設けられ、機構板２０の外側には、タンクレール２４ｂとの間に第２弾性部材５５６がそれぞれ設けられている。第１弾性部材５５４は、脱落防止具５５２と機構板２０とに対して付勢するように設けられている。また、第２弾性部材５５６は、機構板２０とタンクレール２４ｂとに対して付勢するように設けられている。
【００７３】
ここで、タンクレール２４ｂを介して制振部材５５０に振動が伝達されると、第１弾性部材５５４と第２弾性部材５５６とが交互に弛張することにより、タンクレール２４ｂ自体が機構板２０に対して前後に振幅運動する。これにより、タンクレール２４ｂを介して制振部材５５０に伝達された振動は、機構板２０側へ伝達される前に制振部材５５０にて減衰される。
【００７４】
次に、パチンコ遊技機Ａ１の第６の変形例としての制振部材６５０について図面を利用して説明する。
図１４は、パチンコ遊技機Ａ１の第６の変形例の要部の構成を示す図であって、第６の変形例を図４に示すＸ１矢視線と同様の方向より視認した矢視断面図である。
同図において、タンクレール２４ｂと機構板２０との間には、前述した第１被係着部材２０ｂ１等は配設されていない。その代わりに、本第６変形例においては、タンクレール２４ｂは、制振部材６５０によって機構板２０に固定されている。すなわち、この制振部材６５０は、所定の厚みを有する略直方体形状の弾性部材６５２と、弾性部材６５２の相反する両面に設けられた第１固定部材６５４と、第２固定部材６５６とから形成されている。
【００７５】
この弾性部材６５２は、高弾性のスポンジ状部材にて形成されている。また、第１固定部材６５４及び第２固定部材６５６は、弾性部材６５２との連接面を全て被覆するように形状に形成されている。ここで、この弾性部材６５２と第１固定部材６５４と第２固定部材６５６とは、所定の接着剤等を用いて互いに連結されている。
【００７６】
また、第１固定部材６５４の弾性部材６５２と接する面の反対側には、断面視略台形状を呈する第１凸状部６５４ａと第２凸状部６５４ｂとが設けられている。また、第２固定部６５６の弾性部材６５２と接する面の反対側には、略台形状を呈する第３凸状部６５６ａと第４凸状部６５６ｂとが設けられている。
【００７７】
ここで、第１凸状部６５４ａ、第２凸状部６５４ｂ及び、第３凸状部６５６ａ、第４凸状部６５６ｂは、予め機構板２０やタンクレール２４ｂ等に形成されている第１凹状部２０ｆ、第２凹状部２０ｇ及び、第３凹状部２４ｂ５、第４凹状部２４ｂ６にそれぞれ嵌着可能な形状に形成されている。この制振部材６５０は、第１凸状部６５４ａ〜第４凸状部６５６ｂが対応する第１凹状部２０ｆ〜第２凹状部２４ｂ６にそれぞれ嵌着されることにより、機構板２０とタンクレール２４ｂとを連結した状態となる。
【００７８】
ここで、タンクレール２４ｂを介して制振部材６５０に振動が伝達されると、この振動にあわせて弾性部材６５２が上下左右もしくは前後に撓曲する。これにより、タンクレール２４ｂを介して制振部材６５０に伝達された振動は、機構板２０側へ伝達される前に制振部材６５０にて減衰される。
【００７９】
なお、本実施例及び変形例においては、タンクレール２４ｂと機構板２０との間に制振部材５０等の制振手段を配設する方法について説明したが、制振手段は、これらのように物理的に振動を遮断する方法以外の方法で制振してもよい。たとえば、玉崩し用バイブレータ２５の作動時間を短く分断する。これは、玉崩し用バイブレータ２５を連続作動させることによる振動の増幅を低減しつつ、玉崩しを行うことに有効である。
【図面の簡単な説明】
【図１】本発明にかかるパチンコ遊技機Ａ１の前面側の構成を示す全体斜視図である。
【図２】本発明にかかるパチンコ遊技機Ａ１の背面側の構成を示す全体斜視図である。
【図３】本発明にかかるパチンコ遊技機Ａ１の背面側の要部の構成を示す拡大斜視図である。
【図４】本発明にかかるパチンコ遊技機Ａ１の要部の構成を示す斜視図である。
【図５】本発明にかかるパチンコ遊技機Ａ１の背面側の要部の構成を示す分解斜視図である。
【図６】本発明にかかるパチンコ遊技機Ａ１の要部の構成の使用状態を示す図であって、Ｘ１矢視線（図４参照）より視認した矢視断面図である。
【図７】本発明にかかるパチンコ遊技機Ａ１の応用例の要部の構成を示す分解斜視図である。
【図８】本発明にかかるパチンコ遊技機Ａ１の応用例の要部の構成を示す図であって、応用例を図４に示すＸ１矢視線と同様の方向より視認した矢視断面図である。
【図９】本発明にかかるパチンコ遊技機Ａ１の第１の変形例の要部の構成を示す分解斜視図である。
【図１０】本発明にかかるパチンコ遊技機Ａ１の第２の変形例の要部の構成を示す図であって、第２の変形例を図４に示すＸ１矢視線と同様の方向より視認した矢視断面図である。
【図１１】本発明にかかるパチンコ遊技機Ａ１の第３の変形例の要部の構成を示す図であって、第３の変形例を図４に示すＸ１矢視線と同様の方向より視認した矢視断面図である。
【図１２】本発明にかかるパチンコ遊技機Ａ１の第４の変形例の要部の構成を示す図であって、第４の変形例を図４に示すＸ１矢視線と同様の方向より視認した矢視断面図である。
【図１３】本発明にかかるパチンコ遊技機Ａ１の第５の変形例の要部の構成を示す図であって、第５の変形例を図４に示すＸ１矢視線と同様の方向より視認した矢視断面図である。
【図１４】本発明にかかるパチンコ遊技機Ａ１の第６の変形例の要部の構成を示す図であって、第６の変形例を図４に示すＸ１矢視線と同様の方向より視認した矢視断面図である。
【符号の説明】
Ａ１…パチンコ遊技機
２０…機構板
２４…賞球払出装置ユニット
２４ａ…貯留タンク（貯留部）
２４ｂ…タンクレール（貯留部）
２４ｃ…ケースレール
２４ｄ…払出ユニット
２５…玉崩し用バイブレータ（振動発生器）
５０，１５０，２５０，３５０，４５０，５５０，６５０…制振部材（制振手段）
【図１】
2004121519.tif 000003
【図２】
2004121519.tif 000004
【図３】
2004121519.tif 000005
【図４】
2004121519.tif 000006
【図５】
2004121519.tif 000007
【図６】
2004121519.tif 000008
【図７】
2004121519.tif 000009
【図８】
2004121519.tif 000010
【図９】
2004121519.tif 000011
【図１０】
2004121519.tif 000012
【図１１】
2004121519.tif 000013
【図１２】
2004121519.tif 000014
【図１３】
2004121519.tif 000015
【図１４】
2004121519.tif 000016